(57)【特許請求の範囲】
【請求項１】
制御局で生成された下り高周波電気信号をＭ個（Ｍは２以上の整数）の光波長帯の光信号に変換するベースユニットと、
このベースユニットからの光信号を伝送する主リンク用光ファイバ線路と、
この主リンク用光ファイバ線路に挿入され、上記光信号の中のｉ番目（ｉ＝１，…，Ｍ）の光波長帯の光信号を主リンク用光ファイバ線路から分離するＭ−１個の光合分波器と、
光ファイバ線路で接続された複数の無線アクセスユニットを含め、上記光合分波器で分離された単一光波長帯の光信号を伝送し、この光信号をこれらの無線アクセスユニットにより高周波電気信号に変換するＭ個のサブリンクと、
を具備して構成される光波長多重を用いた高周波信号の光ファイバ伝送システムにおいて、
上記ベースユニットは、
上記制御局で生成された下り高周波信号をＭ個に分配する分配器と、
この分配器のＭ個の出力ポートのそれぞれに接続され、各出力ポートからの高周波信号を光信号に変換するＭ個の互いに異なる光波長帯で発光する電気／光変換器と、
このＭ個の電気／光変換器の出力光信号を合波し、合波された光信号を上記主リンク用光ファイバ線路に結合する光合分波器と、
上記Ｍ個のサブリンクは、
それぞれにおいて、ｉ番目（ｉ＝１，…，Ｍ）の光波長帯の光信号を伝送するためのサブリンク用光ファイバ線路と、
このサブリンク用光ファイバ線路に挿入され、サブリンク用光ファイバ線路の中の光信号を一部分配し、これを高周波電気信号に変換してアンテナにより送信するＮ個（Ｎは２以上の整数）の無線アクセスユニットとによって構成し、
上記無線アクセスユニットは、
上記サブリンク用光ファイバ線路に挿入した光カプラと、
この光カプラで分配した光信号を高周波電気信号に変換する光／電気変換器と、
この高周波電気信号を移動無線機等へ送信するためのアンテナと、
によって構成したことを特徴とする光波長多重を用いた高周波信号の光ファイバ伝送システム。
【請求項２】
移動無線機からの上り無線信号により強度変調され、ｉ番目（ｉ＝１，…，Ｍ、Ｍは２以上の整数）の光波長帯の光信号を出力するＭ個のサブリンクと、
主リンク用光ファイバ線路と、
この主リンク用光ファイバ線路に挿入され、上記Ｍ個のサブリンクからの光信号をこの主リンク用光ファイバ線路に合波するＭ−１個の光合分波器と、
上記主リンク用光ファイバ線路からのＭ個の光波長帯の光信号を高周波電気信号に変換し、この高周波電気信号を制御局へ伝送するベースユニットと、
を具備して構成される光波長多重を用いた高周波信号の光ファイバ伝送システムにおいて、
上記Ｍ個のサブリンクは、
それぞれにおいて、サブリンク用光ファイバ線路と、
このサブリンク用光ファイバ線路に挿入され、かつアンテナにより受信した上記移動無線機からの上り高周波電気信号を上記ｉ番目の光波長帯の光信号に変換し、これを上記サブリンク用光ファイバ線路に合波するＮ（Ｎは２以上の整数）個の無線アクセスユニットとによって構成し、
上記無線アクセスユニットは、
移動無線機からの上り高周波信号を受信するためのアンテナと、
このアンテナからの高周波信号を所定の光波長帯の光信号に変換する電気／光変換器と、
上記サブリンク用光ファイバ線路に挿入され、上記電気／光変換器の出力光信号をこのサブリンク用光ファイバ線路に結合する光カプラとによって構成し、
上記ベースユニットは、
上記主リンク用光ファイバ線路からのＭ個の光波長帯を含めた光信号を一括して高周波電気信号に変換し、上記制御局に伝送する光／電気変換器と、
によって構成することを特徴とする光波長多重を用いた高周波信号の光ファイバ伝送システム。
【請求項３】
移動無線機からの上り無線信号により強度変調され、ｉ番目（ｉ＝１，…，Ｍ、Ｍは２以上の整数）の光波長帯の光信号を出力するＭ個のサブリンクと、
主リンク用光ファイバ線路と、
この主リンク用光ファイバ線路に挿入され、上記Ｍ個のサブリンクからの光信号をこの主リンク用光ファイバ線路に合波するＭ−１個の光合分波器と、
上記主リンク用光ファイバ線路からのＭ個の光波長帯の光信号を高周波電気信号に変換し、この高周波電気信号を制御局へ伝送するベースユニットと、
を具備して構成される光波長多重を用いた高周波信号の光ファイバ伝送システムにおいて、
上記Ｍ個のサブリンクは、
それぞれにおいて、サブリンク用光ファイバ線路と、
このサブリンク用光ファイバ線路に挿入され、かつアンテナにより受信した上記移動無線機からの上り高周波電気信号を上記ｉ番目の光波長帯の光信号に変換し、これを上記サブリンク用光ファイバ線路に合波するＮ（Ｎは２以上の整数）個の無線アクセスユニットとによって構成し、
上記無線アクセスユニットは、
移動無線機からの上り高周波信号を受信するためのアンテナと、
このアンテナからの高周波信号を所定の光波長帯の光信号に変換する電気／光変換器と、
上記サブリンク用光ファイバ線路に挿入され、上記電気／光変換器の出力光信号をこのサブリンク用光ファイバ線路に結合する光カプラとによって構成し、
上記ベースユニットは、
上記主リンク用光ファイバ線路からのＭ個の光波長帯を含めた光信号をＭ個に分波する光合分波器と、
この光合分波器の各分波出力ポートに接続され、その各出力ポートから出力される光信号を高周波信号に変換するＭ個の光／電気変換器と、
上記Ｍ個の光／電気変換器からの出力信号を一つの電気信号に結合し、上記制御局へ出力する結合器と、
によって構成したことを特徴とする光波長多重を用いた高周波信号の光ファイバ伝送システム。
【請求項４】
制御局で生成された下り高周波信号を１．３μｍ帯光信号、１．５５μｍ帯光信号、および１．６５μｍ帯光信号の３つの光波長帯の光信号に変換するベースユニットと、
このベースユニットからの光信号を伝送する主リンク用光ファイバ線路と、
この主リンク用光ファイバ線路に挿入され、上記光信号の中の３個の光波長帯の光信号を主リンク用光ファイバ線路からそれぞれ分離する第１光合分波器と第２光合分波器と、
サブリンク用光ファイバ線路で接続された複数の無線アクセスユニットを含め、上記光合分波器で分離された単一光波長帯の光信号を伝送し、この光信号をこれらの無線アクセスユニットにより高周波信号に変換する第１、第２、および第３サブリンクと、
を具備して構成される光波長多重を用いた高周波信号の光ファイバ伝送システムにおいて、
上記ベースユニットは、
上記制御局で生成された下り高周波信号を３個の高周波信号に分配する分配器と、
この分配器の３個の出力ポートのそれぞれに接続され、各出力ポートからの高周波信号をそれぞれ１．３μｍ、１．５５μｍ、および１．６５μｍ帯光信号に変換する３個の電気／光変換器と、
この３個の電気／光変換器の出力光信号を合波し、合波された光信号を上記主リンク用光ファイバ線路に伝送する光合分波器とを備え、
上記第１、第２、および第３サブリンクは、
それぞれにおいて、サブリンク用光ファイバ線路と、
このサブリンク用光ファイバ線路に挿入され、サブリンク用光ファイバ線路の中の光信号を一部分配し、これを高周波信号に変換してアンテナにより送信するＮ個（Ｎは２以上の整数）の無線アクセスユニットとを備え、
上記無線アクセスユニットは、
上記サブリンク用光ファイバ線路に挿入した光カプラと、
この光カプラで分配した光信号を高周波信号に変換する光／電気変換器と、
この高周波信号を移動無線機等へ送信するためのアンテナとを備え、
上記主リンク用光ファイバ線路において、上記第１光合分波器が上記第２光合分波器よりベースユニットに近い位置に設置され、上記第２光合分波器が主リンク用光ファイバ線路の末端に接続され、
上記第１光合分波器は１．６５μｍ帯の光信号を主リンク用光ファイバ線路から分離し、
上記第２光合分波器は１．３μｍと１．５５μｍ帯の光信号を主リンク用光ファイバ線路から分離し、
上記第１サブリンクが上記第１光合分波器の１．６５μｍ帯光信号出力端に接続され、上記第２サブリンクが上記第２光合分波器の１．３μｍ帯光信号出力端に接続され、上記第３サブリンクが上記第２光合分波器の１．５５μｍ帯光信号出力端に接続され、
上記主リンク用光ファイバ線路、および上記第１、第３サブリンクのサブリンク用光ファイバ線路として、１５５０ｎｍ分散シフト光ファイバが使用され、上記第２サブリンクのサブリンク用光ファイバ線路として、１３１０ｎｍゼロ分散光ファイバによって構成することを特徴とする光波長多重を用いた高周波信号の光ファイバ伝送システム。
【請求項５】
サブリンク用光ファイバ線路で縦続に接続された複数の無線アクセスユニットを含め、これらの無線アクセスユニットによって移動無線機からの上り高周波信号を光信号に変換し、この光信号を上記サブリンク用光ファイバ線路に結合して伝送することのできる第１、第２、および第３サブリンクと、
主リンク用光ファイバ線路と、
この主リンク用光ファイバ線路に挿入され、上記各サブリンクからの光信号を主リンク用光ファイバ線路に合波する第１光合分波器と第２光合分波器と、
上記主リンク用光ファイバ線路からの光信号を高周波信号に変換し、この高周波信号を制御局へ伝送するベースユニットと、
を具備して構成される光波長多重を用いた高周波信号の光ファイバ伝送システムにおいて、
上記第１、第２、第３サブリンクは、
それぞれにおいて、サブリンク用光ファイバ線路と、
このサブリンク用光ファイバ線路に挿入され、かつアンテナにより受信した上記移動無線機からの上り高周波信号を１．３μｍ帯光信号、１．５５μｍ帯光信号、および１．６５μｍ帯光信号の３つの光波長帯の中から所定の一つの光波長帯の光信号に変換し、これを上記サブリンク用光ファイバ線路に合波するＮ個（Ｎは２以上の整数）の無線アクセスユニットとを備え、
上記無線アクセスユニットは、
移動無線機からの上り高周波信号を受信するためのアンテナと、
このアンテナからの高周波信号を光信号に変換する電気／光変換器と、
上記サブリンク用光ファイバ線路に挿入され、上記電気／光変換器の出力光信号をこのサブリンク用光ファイバ線路に結合する光カプラとを備え、
上記ベースユニットは、
上記主リンク用光ファイバ線路からの光信号を３つに分波する光合分波器と、
この光合分波器の各分波出力ポートに接続され、その各ポートから出力される光信号を高周波信号に変換する３個の光／電気信号変換器と、
上記３個の光／電気信号変換器からの出力信号を一つの電気信号に結合し、上記制御局へ出力する結合器とを備え、
上記主リンク用光ファイバ線路において、上記第１光合分波器が上記第２光合分波器よりベースユニットに近い位置に設置され、この第２光合分波器が主リンク用光ファイバ線路の末端に接続され、
上記第１光合分波器が１．６５μｍ帯の光信号を主リンク用光ファイバ線路に合波することと、
上記第２光合分波器が１．３μｍと１．５５μｍ帯の光信号を主リンク用光ファイバ線路に合波し、
上記第１サブリンクが１．６５μｍ帯の光信号を出力し、上記第１光合分波器の１．６５μｍ帯光信号入力端に接続され、上記第２サブリンクが１．３μｍ帯の光信号を出力し、上記第２光合分波器の１．３μｍ帯光信号入力端に接続され、上記第３サブリンクが１．５５μｍ帯の光信号を出力し、上記第２光合分波器の１．５５μｍ帯光信号入力端に接続され、
上記主リンク用光ファイバ線路、および上記第１、第３サブリンクのサブリンク用光ファイバ線路として、１５５０ｎｍ分散シフト光ファイバが使用され、上記第２サブリンクのサブリンク用光ファイバ線路として、１３１０ｎｍゼロ分散光ファイバによって構成したことを特徴とする光波長多重を用いた高周波信号の光ファイバ伝送システム。
【請求項６】
請求項１記載の光ファイバ伝送システムを下り回線とし、請求項２、３に記載の何れか一つの光ファイバ伝送システムを上り回線とし、それぞれの所用の光波長帯が対応しているサブリンクにおいて、下り回線の無線アクセスユニット及び上り回線の無線アクセスユニットを共通の無線アクセスユニットで置き換えた光波長多重を用いた高周波信号の光ファイバ伝送システムにおいて、
上記無線アクセスユニットは、
アンテナと、
このアンテナを送信と受信に共用するために設けられた共用器と、
下り回線のサブリンク用光ファイバ線路に挿入した下り用光カプラと、
この光カプラで分配した光信号を高周波信号に変換し、この高周波信号を上記共用器のアンテナ送信信号入力端子へ接続する光／電気変換器と、
上記共用器のアンテナ受信信号の出力端子からの無線信号を所定の光波長帯の光信号に変換する電気／光変換器と、
上り回線のサブリンク用光ファイバ線路に挿入され、上記電気／光変換器からの光信号をこの上り回線のサブリンク用光ファイバ線路に結合する上り用光カプラと、
によって構成されることを特徴とする光波長多重を用いた高周波信号の光ファイバ伝送システム。
【請求項７】
請求項４記載の光ファイバ伝送システムを下り回線とし、請求項５に記載の光ファイバ伝送システムを上り回線とし、それぞれの所用の光波長帯が対応しているサブリンクにおいて、下り回線の無線アクセスユニット及び上り回線の無線アクセスユニットを共通の無線アクセスユニットで置き換えた光波長多重を用いた高周波信号の光ファイバ伝送システムにおいて、
上記無線アクセスユニットは、
アンテナと、
このアンテナを送信と受信に共用するために設けられた共用器と、
下り回線のサブリンク用光ファイバ線路に挿入した下り用光カプラと、
この光カプラで分配した光信号を高周波信号に変換し、この高周波信号を上記共用器のアンテナ送信信号入力端子へ接続する光／電気変換器と、
上記共用器のアンテナ受信信号の出力端子からの無線信号を所定の光波長帯の光信号に変換する電気／光変換器と、
上り回線のサブリンク用光ファイバ線路に挿入され、上記電気／光変換器からの光信号をこの上り回線のサブリンク用光ファイバ線路に結合する上り用光カプラと、
によって構成されることを特徴とする光波長多重を用いた高周波信号の光ファイバ伝送システム。
【発明の詳細な説明】
【０００１】
【発明の属する技術分野】
この発明は光ファイバ線路を用いて高周波信号を伝送する光ファイバ伝送システムに関するものであり、例えば地下街やトンネル等において移動通信システムを構築するために利用されるものである。
【０００２】
【従来の技術】
地下街やトンネル等において携帯電話機等の移動無線機を利用可能にするための高周波信号の伝送システムとして図１０に示すような光ファイバ伝送システムが従来提案されている（特願平８−９６３５５）。
この光ファイバ伝送システムはベースユニット１１Ａ及び１１Ｂと、Ｎ個の無線アクセスユニットＲＵ−１〜ＲＵ−Ｎと、２本の光ファイバ線路１２，１３とによって構成される。各無線アクセスユニットＲＵ−１〜ＲＵ−Ｎとベースユニット１１Ａ及び１１Ｂは、２本の光ファイバ線路１２，１３で縦続的に接続されている。また、２本の光ファイバ線路１２，１３はそれぞれ下り用と上り用に使用される。この無線アクセスユニットＲＵ−ｉ（ｉ＝１，２，…，Ｎ）を例えば地下街のように電波の届き難い場所に５０ｍ〜１００ｍ間隔で設置する。
【０００３】
制御局側で生成した下り高周波電気信号は、各無線アクセスユニットＲＵ−ｉに送信するために、ベースユニット１１Ａ側ではレーザダイオード１４を用いて下り光信号に変換される。つまりこの下り光信号は下り高周波電気信号で光強度変調される。この下り光信号は下り用光ファイバ線路１２で縦続接続した各無線アクセスユニットＲＵ−１〜ＲＵ−Ｎに順次伝送される。
各無線アクセスユニットＲＵ−ｉでは下り用光ファイバ線路１２に挿入された下り用光カプラ１５Ｃｉを用いて下り光信号が分配される。この分配された下り光信号がフォトダイオード１６Ｐｉにより下り高周波電気信号が再生され、これがアンテナ１７Ａｉから送信される。
【０００４】
再生される下り高周波電気信号の品質を各無線アクセスユニットＲＵ−ｉにおいて均一化するために、下り光信号のパワーを各無線アクセスユニットＲＵ−ｉに等分配することが必要になる。このために、各無線アクセスユニットＲＵ−ｉの下り用光カプラ１５Ｃｉの結合係数は一定の設定法に基づいて設定される。例えば無線アクセスユニットの数が６個の場合、光ファイバ線路１２と光コネクタの損失を考慮して、各光カプラ１５Ｃｉの結合係数を図１１に示すように設定する。つまり光カプラ１５Ｃ１，１５Ｃ２，１５Ｃ３，…，１５Ｃ６の各結合係数は０．０９，０．１３，０．１９，…，１．００とされる。
【０００５】
一方、携帯電話等の移動無線機から送信された上りの電波信号は、最寄りの無線アクセスユニットＲＵ−ｉのアンテナ１８Ａｉで受信された後に、レーザダイオード１９Ｌｉを用いて上り光信号に変換される。この上り光信号は上り用光カプラ２１Ｃｉを用いて上り用光ファイバ線路１３に結合される。ベースユニット１１ＢではＮ個の無線アクセスユニットＲＵ−１〜ＲＵ−Ｎからの合成光を受信し、これをフォトダイオード２２を用いて一括して上り高周波電気信号を再生する。ベースユニット１１Ｂにおいて、各無線アクセスユニットＲＵ−ｉからの上り高周波信号の受信品質を均一にするために、各無線アクセスユニットＲＵ−ｉからの光信号を等パワーで受信する必要がある。このため、各無線アクセスユニットＲＵ−ｉのレーザダイオード１９Ｌｉが等しい光パワーで発光した場合、上述の下り回線と同様の光カプラの結合係数設定法を用いればよい。
【０００６】
さらに、上り用光ファイバ線路１３の光信号は、各無線アクセスユニットＲＵ−ｉからの光信号の合成光となるため、ベースユニット１１Ｂ側のフォトダイオード２２において、各無線アクセスユニットＲＵ−ｉの光信号の波長差に起因するビート性雑音が発生する。このビート性雑音が高周波電気信号の伝送帯域に発生しないようにするために、各無線アクセスユニットＲＵ−ｉの光波長を図１２に示すように互いに近接しないように設定するか、あるいは、自動波長オフセットの手法（特願平８−１５１０１４）でレーザダイオード１９Ｌｉの発光波長を制御する。
【０００７】
【発明が解決しようとする課題】
一般に光ファイバで高周波信号を伝送する場合、高周波信号のキャリア対雑音比（Ｃ／Ｎ）等の伝送特性は受光用のフォトダイオードの受光パワーに大きく依存する。受光パワーが小さくなるとＣ／Ｎ特性が劣化する。図１０に示したような光ファイバ伝送システムにおいて、下り回線では、ベースユニット１１Ａのレーザダイオード１４の出力光パワーが各無線アクセスユニットＲＵ−ｉに等分配されるため、無線アクセスユニットＲＵ−ｉの数が大きくなるほど、各無線アクセスユニットＲＵ−ｉの受光パワーが小さくなる。また、上り回線においては上り光信号が各無線アクセスユニットＲＵ−ｉの光カプラ２１Ｃｉにより結合される度に減衰も発生する。無線アクセスユニットＲＵ−ｉの数が大きくなるにつれて、総減衰量が大きくなる。以上の原因により、システムに収容できる最大無線ユニットの数が制限される。
【０００８】
この発明の目的は、上記したように無線アクセスユニットの数の増大に伴う光損失が増大する点を解消し、無線アクセスユニットの数を容易に拡大することができる高周波信号の光ファイバ伝送システムを提供することにある。
【０００９】
【課題を解決するための手段】
この発明の請求項１で提案する高周波信号の光ファイバ伝送システムにおいてはベースユニットは異なる光波長帯で発光する複数の電気／光変換器を使用して下り高周波信号を光信号に変換する。ベースユニットからの光信号は主リンク用光ファイバ線路により伝送される。
主リンク用光ファイバ線路には要所毎に光合分波器が設置される。各光合分波器によりそれぞれ特定の光波長帯の光信号が取り出され、これらの光信号はそれぞれサブリンクに分岐される。各サブリンクには縦続的に複数の無線アクセスユニットが接続され、主リンクから分岐して取り出された光信号が各無線アクセスユニットに分配される。
【００１０】
この発明の請求項２で提案する高周波信号の光ファイバ伝送システムにおいては、移動無線機からの上り高周波電波信号は最寄りの無線アクセスユニットで光信号に変換される。複数の無線アクセスユニットが光ファイバで構成されるサブリンクに縦続的に接続され、各無線アクセスユニットで変換された光信号はサブリンク用光ファイバ線路に結合される。各サブリンクからの光信号は主リンク用光ファイバ線路に挿入された光合分波器により主リンク用光ファイバ線路に合波されベースユニットに伝送される。
【００１１】
この発明の請求項３で提案する高周波信号の光ファイバ伝送システムにおいては、請求項２で提案した高周波信号の光ファイバ伝送システムに用いられたベースユニットを、主リンク用光ファイバ線路からのＭ個の光波長帯を含めた光信号をＭ個に分波する光合分波器と、
この光合分波器の各分波出力ポートに接続され、その各出力ポートから出力される光信号を高周波信号に変換するＭ個の光／電気変換器と、
Ｍ個の光／電気変換器からの出力信号を一つの電気信号に結合し、制御局へ出力する結合器と、
によって構成した点を特徴とするものである。
【００１２】
この発明の請求項４で提案する高周波信号の光ファイバ伝送システムにおいては、ベースユニットはそれぞれ１．３μｍ、１．５５μｍ、および１．６５μｍの３つの光波長帯で発光する電気／光変換器を使用して下り高周波信号を光信号に変換する。ベースユニットからの光信号は主リンク用光ファイバ線路により伝送される。
主リンク用光ファイバ線路には、要所において第１光合分波器および第２光合分波器が設置される。これらの光合分波器により３つの光波長帯の光信号が主リンク用光ファイバ線路から取り出される。１．６５μｍ帯の光信号は第１サブリンクに、１．３μｍ帯の光信号は第２サブリンクに、１．５５μｍ帯の光信号は第３サブリンクに送られる。各サブリンクには縦続的に複数の無線アクセスユニットが接続される。主リンクから分波して取り出された各波長帯の光信号はサブリンクの各無線アクセスユニットに分配される。
【００１３】
主リンク用光ファイバ線路、および第１、第３サブリンクの中のサブリンク用光ファイバ線路として１５５０ｎｍ分散シフトファイバが使用され、第２サブリンクの中のサブリンク用光ファイバ線路として１３１０ｎｍゼロ分散ファイバが使用される。
この発明の請求項５で提案する高周波信号の光ファイバ伝送システムにおいて、移動無線機からの上り高周波電波信号は最寄りの無線アクセスユニットで光信号に変換される。複数の無線アクセスユニットはサブリンク用光ファイバ線路により縦続的に接続され、サブリンクとなる。合計３つのサブリンク、すなわち第１、第２、および第３サブリンクが構成される。各サブリンクにおいて、各無線アクセスユニットで変換された光信号はサブリンク用光ファイバ線路に結合される。第１サブリンクには１．６５μｍ帯、第２サブリンクには１．３μｍ帯、および第３サブリンクには１．５５μｍ帯の電気／光変換器を使用する。各サブリンクからの光信号は主リンク用光ファイバ線路に挿入された第１光合分波器および第２光合分波器により主リンク用光ファイバ線路に合波されベースユニットに伝送される。
【００１４】
主リンク用光ファイバ線路及び第１、第３サブリンクの中のサブリンク用光ファイバ線路として１５５０ｎｍ分散シフトファイバが使用され、第２サブリンクの中のサブリンク用光ファイバ線路として１３１０ｎｍゼロ分散ファイバが使用される。
この発明の請求項６で提案する高周波信号の光ファイバ伝送システムは、上記請求項１および請求項２、３で提案する高周波信号の光ファイバ伝送システムの何れかを同時に用い、下りと上りの両方向の高周波信号を伝送し、かつ無線アクセスユニットのアンテナを下り回線と上り回線に共用した点を請求するものである。
【００１５】
この発明の請求項７で提案する高周波信号の光ファイバ伝送システムは、上記請求項４および請求項５で提案する高周波信号の光ファイバ伝送システムを同時に用い、下りと上りの両方向の高周波信号を伝送し、かつ無線アクセスユニットのアンテナを下り回線と上り回線に共用した点を請求するものである。
【００１６】
【作用】
この発明の請求項１又は４及び請求項２、３、５で提案する何れか一つの高周波信号の光ファイバ伝送システムによれば、主リンク用光ファイバ線路では複数の光波長帯の光信号が伝送され、各サブリンクでは１つの光波長帯の光信号が伝送される。
主リンクと各サブリンクとの間の光信号の合波及び分波は光合分波器により行う。光合分波器は周知のように合波及び分波に伴う光損失が非常に小さいため、主リンクの光伝送の光損失を非常に小さくすることができる。つまり、ベースユニットの電気／光変換器と無線アクセスユニットの光／電気変換器との間の光損失、及び無線アクセスユニットの電気／光変換器とベースユニットの光／電気変換器との間の光損失は、主にサブリンクにおける光カプラの分配または結合によって発生するものである。このため、各サブリンクにおいて、無線アクセスユニットの数量に関する設計は従来の技術と同様であるとすればＭ個の光波長帯を利用し、Ｍ個のサブリンクを構成すれば、無線アクセスユニット数は従来の技術のＭ倍にすることができる。
【００１７】
また、特に請求項４及び５で提案する高周波信号の光ファイバ伝送システムによれば、無線アクセスユニットの数を約３倍に拡大することができる。
また、主リンク用光ファイバ線路、および１．６５μｍ帯の光信号を伝送する第１サブリンク、１５５μｍ帯の光信号を伝送する第３サブリンクの中のサブリンク用光ファイバ線路は１５５０ｎｍ分散シフトファイバを使用し、１．３μｍ帯の光信号を伝送する第２サブリンクの中のサブリンク用光ファイバ線路は１３１０ｎｍゼロ分散ファイバを使用することにより、光信号が光ファイバの中で伝送するときに発生する分散の影響を最小化することができる利点が得られる。
【００１８】
請求項６で提案する高周波信号の光ファイバ伝送システムによれば、請求項１及び請求項２又は３で提案する高周波信号の光ファイバ伝送システムの何れか一つを同時に用いて下りと上りの両方向の高周波信号を伝送する際に、無線アクセスユニットのアンテナを共用器を用いて送信と受信に共用することができる。
また、請求項７でも同様に請求項４と請求項５で提案する高周波信号の光ファイバ伝送システムを同時に用いて下りと上りの両方向の高周波信号を伝送する際に、無線アクセスユニットのアンテナを共用器を用いて送信と受信に共用することができる。
【００１９】
【発明の実施の形態】
請求項１の実施例
請求項１の実施例を図１に示す。
ベースユニット１００Ａにおいて、分配器１０１は制御局からの下り高周波電気信号をＭ（Ｍは２以上の整数）分配する。分配器１０１のＭ個の出力端子のそれぞれに、電気／光変換器１０２−１〜１０２−Ｍが接続される。電気／光変換器１０２−１〜１０２−Ｍは入力の高周波電気信号を光信号に変換する。電気／光変換器１０２−１〜１０２−Ｍの発光光波長帯は図２に示すように順にΛ1 ，Λ2 ，…，ΛM であり、例えばΛ1 ＜Λ2 ＜…＜ΛM のように設定することができる。光合分波器１０３は、電気／光変換器１０２−１〜１０２−Ｍの出力光信号を合波し、合波した光信号を主リンク用光ファイバ線路２００Ａに出力する。
【００２０】
主リンク用光ファイバ線路２００Ａには必要な場所において光合分波器２０１−１〜２０１−（Ｍ−１）が挿入される。これらの光合分波器２０１−１〜２０１−（Ｍ−１）の主リンク用光ファイバ線路２００Ａにおける接続位置の順番は図２に示すように周波数帯の昇順に配列される（逆に降順に配列することもできる。その場合にはポート１とポート２との間の光通過特性は図２に示すハイパス特性とは逆にローパス特性に採ればよい）。つまり光合分波器２０１−１〜２０１−（Ｍ−１）のそれぞれは、３つのポート、即ちポートＰ１、ポートＰ２及びポートＰ３を備え、そのうちのポートＰ１及びポートＰ３が主リンク用光ファイバ線路２００Ａに接続され、かつポートＰ１がベースユニット１００Ａ側からの光信号を受けるように接続される。光合分波器２０１−１〜２０１−（Ｍ−１）のそれぞれのポートＰ２に、それぞれサブリンク３００Ａ−１〜３００Ａ−（Ｍ−１）が接続される。また、サブリンク３００Ａ−Ｍは光合分波器２０１−（Ｍ−１）のポートＰ３に接続される。
【００２１】
光合分波器２０１−１〜２０１−（Ｍ−１）の光波長通過特性を図２Ｂに示す。即ち、図２Ａに示す光合分波器２０１−ｉ（ｉ＝１，２，…，Ｍ−１）において、ポートＰ１からポートＰ２、またはポートＰ２からポートＰ１は、少なくともΛi を含む光波長帯以下の光信号が通過でき、また、ポートＰ１からポートＰ３、またはポートＰ３からポートＰ１は、Λi+1 〜ΛM を含む光波長帯の光信号が通過できる。従って、サブリンク３００Ａ−ｉへ伝送される光信号の光波長帯はΛi となる。
【００２２】
サブリンク３００Ａ−１〜３００Ａ−Ｍは、それぞれ、サブリンク用光ファイバ線路３０１Ａ及びこのサブリンク用光ファイバ線路３０１Ａで接続されるＮ個の無線アクセスユニットＲＵ−１〜ＲＵ−Ｎ（Ｎは２以上の整数）により構成される。
無線アクセスユニットＲＵ−ｉは、光カプラ３０２Ａをサブリンク用光ファイバ線路３０１Ａに直列に挿入し、サブリンク用光ファイバ線路３０１Ａからの光信号を分配する。この光信号は光／電気変換器３０３Ａにより高周波電気信号に変換され、アンテナ３０４Ａにより移動無線機へ送信される。各無線アクセスユニットＲＵ−１〜ＲＵ−Ｎの光カプラ３０２Ａのカプリング係数の設定は図１２に示した従来の技術の設定方法と同様とすることができる。
【００２３】
請求項２の実施例
請求項２の実施例を図３に示す。
ベースユニット１００Ｂに主リンク用光ファイバ線路２００Ｂが接続される。この主リンク用光ファイバ線路２００Ｂには必要な場所に光合分波器２０２−１〜２０２−（Ｍ−１）（Ｍは２以上の整数）が挿入される。これらの光合分波器２０２−１〜２０２−（Ｍ−１）の主リンク用光ファイバ線路２００Ｂにおける接続位置の順番は例えば図３に示すようにベースユニット１００Ｂ側から順次光合分波器２０２−１〜２０２−（Ｍ−１）の分波光波長帯Λ1 ，Λ2 ，Λ3 ，…の昇順に配列することができる（逆に降順に配列することもできる）。光合分波器２０２−１〜２０２−（Ｍ−１）のそれぞれは、図２Ａに示したように３つのポートＰ１，Ｐ２，Ｐ３を備え、そのうちのポートＰ１及びポートＰ３が主リンク用光ファイバ線路２００Ｂに接続され、かつポートＰ１がベースユニット１００Ｂ側へ向けるように接続される。光合分波器２０２−１〜２０２−（Ｍ−１）のそれぞれのポートＰ２に、それぞれサブリンク３００Ｂ−１〜３００Ｂ−（Ｍ−１）が接続される。また、サブリンク３００Ｂ−Ｍは光合分波器２０２−（Ｍ−１）のポートＰ３に接続される。
【００２４】
光合分波器２０２−１〜２０２−（Ｍ−１）の光波長通過特性は図２に示した特性と同様である。つまり、予め決められたＭ個の光波長帯Λ1 ，Λ2 ，…，ΛM （Λ1 ＜Λ2 ＜…＜ΛM ）に対し、光合分波器２０２−ｉ（ｉ＝１，２，…，Ｍ−１）において、ポートＰ１からポートＰ２、またはポートＰ２からポートＰ１は、少なくともΛi を含む光波長帯以下の光信号が通過でき、また、ポートＰ１からポートＰ３、またはポートＰ３からポートＰ１は、Λi+1 〜ΛM を含む光波長帯の光信号が通過できる。
【００２５】
サブリンク３００Ｂ−１〜３００Ｂ−Ｍは、それぞれ、サブリンク用光ファイバ線路３０１Ｂ及びこのサブリンク用光ファイバ線路３０１Ｂで接続されるＮ個の無線アクセスユニットＲＵ−１〜ＲＵ−Ｎ（Ｎは２以上の整数）により構成される。無線アクセスユニットＲＵ−１〜ＲＵ−Ｎは、アンテナ３０４Ｂで受信した移動無線機からの上り高周波電気信号を電気／光変換器３０３Ｂを用いて光信号に変換し、この光信号を光カプラ３０２Ｂを用いてサブリンク用光ファイバ線路３０１Ｂに結合する。
【００２６】
光カプラ３０２Ｂのカプリング係数の設定は前述の従来の技術の設定方法と同様である。ｉ番目のサブリンクにおいて、その各無線アクセスユニットＲＵ−１〜ＲＵ−Ｎの電気／光変換器３０３Ｂの発光波長帯はΛi である。
各サブリンク３００Ｂ−１〜３００Ｂ−Ｍからの、移動無線機からの上り高周波信号で強度変調された光信号は、光合分波器２０２−１〜２０２−（Ｍ−１）により主リンク用光ファイバ線路２００Ｂに合波される。この合波された光信号はベースユニット１００Ｂの光／電気変換器１０４により一括して上りの高周波電気信号に変換され、制御局側へ送信される。
【００２７】
尚、サブリンク用光ファイバ線路３０１Ｂに合成された光信号は、各無線アクセスユニットＲＵ−１〜ＲＵ−Ｎからの光信号の合成光（光波長が多重化された合成波）となるため、この合成光がベースユニット１００Ｂの光／電気変換器１０４において、各光信号の波長差に起因するビート性雑音が発生する。ビート性雑音が高周波電気信号の伝送帯域に発生しないようにするために、各無線アクセスユニットＲＵ−１〜ＲＵ−Ｎの光波長を図４のように互いに近接しないように設定するか、あるいは、自動波長オフセットの手法（特願平８−１５１０１４）で電気／光変換器の発光波長を制御するとよい。
【００２８】
請求項３の実施例
図５にこの発明の請求項３の実施例を示す。請求項３では図３に示した上り用のベースユニット１００Ｂを主リンク用光ファイバ線路２００ＢからのＭ個の光波長帯を含めた光信号をＭ個の光信号に分波する光合分波器１０３Ｂと、この光合分波器１０３Ｂの各分波出力ポートに接続され、その各出力ポートから出力される光信号を高周波信号に変換するＭ個の光／電気変換器１０２Ｂ−１〜１０２Ｂ−Ｍと、Ｍ個の光／電気変換器１０２Ｂ−１〜１０２Ｂ−Ｍからの出力信号を一つの電気信号に結合し、制御局へ出力する結合器１０１Ｂとによって構成した点を請求するものである。
【００２９】
この構成とした場合でも、図３で説明した上り回線と同様の作用効果を得ることができる。
請求項４の実施例
図６にこの発明の請求項４の実施例を示す。この発明の請求項４では分配器１０１Ａの分配数を「３」とした点と、光波長帯を１．３μｍ、１．５５μｍ、１．６５μｍの３波長帯を用いる点を特徴とするものである。
【００３０】
つまり、ベースユニット１００Ａにおいて、分配器１０１Ａは制御局からの下り高周波信号を３分配する。分配器１０１Ａの３つの出力端子に、それぞれ電気／光変換器１０２Ａ−１〜１０２Ａ−３が接続される。電気／光変換器１０２Ａ−１〜１０２Ａ−３は入力の高周波信号を光信号に変換する。電気／光変換器１０２Ａ−１〜１０２Ａ−３の発光波長帯は順に１．３μｍ、１．５５μｍ、１．６５μｍ帯とする。光合分波器１０３Ａは、電気／光変換器１０２Ａ−１〜１０２Ａ−３の出力光信号を合波し、合波した光信号を主リンク用光ファイバ線路２０２Ａを通して主リンク２００Ａへ出力する。
【００３１】
主リンク２００Ａの主リンク用光ファイバ線路２０２Ａには、必要な場所において第１光合分波器２０１Ａ−１が挿入される。また第２光合分波器２０１Ａ−２は主リンク用光ファイバ線路２０２Ａの末端に接続される。第１光合分波器２０１Ａ−１の光波長通過特性を図７Ｂに、第２光合分波器２０１Ａ−２の光波長通過特性を図７Ｃに示す。つまり、第１光合分波器２０１Ａ−１のポートＰ１からポートＰ２へは、１．６５μｍ帯の光信号が通過でき、ポートＰ１からポートＰ３へは、１．３μｍ帯および１．５５μｍ帯の光信号が通過できる。
【００３２】
また、第２光合分波器２０１Ａ−２のポートＰ１からポートＰ２へは、１．３μｍ帯の光信号が通過でき、ポートＰ１からポートＰ３へは、１．５５μｍ帯の光信号が通過できる。
第１サブリンク３００Ａ−１は第１光合分波器２０１Ａ−１のポートＰ２に接続される。また、第２サブリンク３００Ａ−２は第２光合分波器２０１Ａ−２のポートＰ２に接続され、第３サブリンク３００Ａ−３は第２光合分波器２０１Ａ−２のポートＰ３に接続される。このため、サブリンク３００Ａ−１、３００Ａ−２、３００Ａ−３において、それぞれ１．６５μｍ帯、１．３μｍ帯および１．５５μｍ帯の光信号が伝送される。
【００３３】
サブリンク３００Ａ−１〜３００Ａ−３は、それぞれ、サブリンク用光ファイバ線路３０１Ａ、及びこのサブリンク用光ファイバ線路３０１Ａで縦続接続されるＮ個の無線アクセスユニットＲＡＵ−１〜ＲＡＵ−Ｎ（Ｎは２以上の整数）により構成される。
無線アクセスユニットＲＡＵ−ｉにおいて、光カプラ３０２Ａがサブリンク用光ファイバ線路３０１Ａに挿入され、サブリンク用光ファイバ線路３０１Ａからの光信号を分配する。この分配された光信号は光／電気変換器３０３Ａにより高周波信号に変換され、アンテナ３０４Ａにより移動無線機へ送信される。各無線アクセスユニットＲＡＵ−１〜ＲＡＵ−Ｎの光カプラ３０２Ａの結合係数の設計は前述の従来の技術の設計法と同様にすることができる。
【００３４】
主リンク用光ファイバ線路２０２Ａ、および第１サブリンク３００Ａ−１、第３サブリンク３００Ａ−３のサブリンク用光ファイバ線路３０１Ａとして、１５５０ｎｍ分散シフトファイバが用いられ、第２サブリンク３００Ａ−２のサブリンク用光ファイバ線路３０１Ａとして、１３１０ｎｍゼロ分散ファイバが用いられる。これは光信号が光ファイバの中で伝送するときに発生する分散の影響を最小化するためである。
【００３５】
分散は光信号の強度雑音の劣化を引き起こす。この劣化は特に光ファイバの中での伝送距離が長くなるにつれ顕著になる。光信号の強度雑音は光／電気変換器で光信号が電気信号に変換される際に電気の雑音信号に変換され、電気出力における信号対雑音比に影響を与える。
現在よく利用される光ファイバは、１３１０ｎｍゼロ分散ファイバおよび１５５０ｎｍ分散シフトファイバが２種類ある。１３１０ｎｍゼロ分散ファイバにおいて１．３μｍ帯の光信号が分散の発生がもっとも小さい。また１５５０ｎｍ分散シフトファイバにおいて１．５５μｍ帯の光信号が分散の発生がもっとも小さい。
【００３６】
この発明では１．３μｍ、１．５５μｍ、１．６５μｍの３つの光波長帯の光信号を同時に用いるため、各光波長帯の光信号の分散による影響を最小化にするために、光ファイバの種類を適切に選ぶ必要がある。光信号の強度雑音の測定の結果により、１．５５μｍ、１．６５μｍ帯の光信号を１３１０ｎｍゼロ分散ファイバで伝送するときの強度雑音の劣化量は、１．３μｍ、１．６５μｍ帯の光信号を１５５０ｎｍ分散シフトファイバで伝送するときの強度雑音の劣化量より大きい傾向がある。このため、第２サブリンク３００Ａ−２を除いて１５５０ｎｍ分散シフトファイバが用いられる。第２サブリンク３００Ａ−２は１．３μｍ帯の光信号を伝送するため１３１０ｎｍゼロ分散ファイバが用いられる。
【００３７】
この発明では現在もっとも市販されている光通信用光素子の状況から、１．３μｍ、１．５５μｍ、および１．６５μｍの３つの光波長帯を利用するが、これ以外の光波長帯の利用も考えられる。この場合においても、上記光波長帯の分散状況に応じて光ファイバの種類を選択する手法を適用することができる。
請求項５の実施例
図８にこの発明の請求項５の実施例を示す。
【００３８】
ベースユニット１００Ｂに主リンク２００Ｂの主リンク用光ファイバ線路２０２Ｂが接続される。この主リンク用光ファイバ線路２０２Ｂには必要な場所において第１光合分波器２０１Ｂ−１が挿入される。また、第２光合分波器２０１Ｂ−２は主リンク用光ファイバ線路２０２Ｂの末端に接続される。第１光合分波器２０１Ｂ−１および第２光合分波器２０１Ｂ−２の光波長通過特性は図７Ｂと図７Ｃに示した請求項４の実施例に用いた第１光合分波器２０１Ａ−１および第２光合分波器２０１Ａ−２のと同様である。
【００３９】
つまり、第１光合分波器２０１Ｂ−１のポートＰ２からポートＰ１へは、１．６５μｍ帯の光信号が通過でき、ポートＰ３からポートＰ１へは、１．３μｍ帯および１．５５μｍ帯の光信号が通過できる。また、第２光合分波器２０１Ｂ−２のポートＰ２からＰ１へは、１．３μｍ帯の光信号が通過でき、ポートＰ３からポートＰ１へは、１．５５μｍ帯の光信号が通過できる。
第１サブリンク３００Ｂ−１は第１光合分波器２０１Ｂ−１のポートＰ２に接続される。また、第２サブリンク３００Ｂ−２は第２光合分波器２０１Ｂ−２のポートＰ２に接続され、第３サブリンク３００Ｂ−３は第２光合分波器２０１Ｂ−２のポートＰ３に接続される。このため、サブリンク３００Ｂ−１、３００Ｂ−２および３００Ｂ−３において、それぞれ１．６５μｍ帯、１．３μｍ帯および１．５５μｍ帯の光信号が伝送される。
【００４０】
サブリンク３００Ｂ−１〜３００Ｂ−３は、それぞれ、サブリンク用光ファイバ線路３０１Ｂ、及びこのサブリンク用光ファイバ線路３０１Ｂで接続されるＮ個の無線アクセスユニットＲＡＵ−１〜ＲＡＵ−Ｎ（Ｎは２以上の整数）により構成される。
無線アクセスユニットＲＡＵ−ｉにおいて、アンテナ３０４Ｂで受信した移動無線機からの上り高周波信号は電気／光変換器３０３Ｂにより光信号に変換される。この光信号はサブリンク用光ファイバ線路３０１Ｂに挿入される光カプラ３０２Ｂによりサブリンク用光ファイバ線路３０１Ｂに結合される。
【００４１】
各サブリンクにおいて無線アクセスユニットＲＡＵ−１〜ＲＡＵ−Ｎの光カプラ３０２Ａの結合係数の設計は前述の従来の技術の設計法と同様にすることができる。第１サブリンク３００Ｂ−１の中の各無線アクセスユニットＲＡＵ−ｉの電気／光変換器３０３Ｂの発光波長は１．６５μｍ帯であり、第２サブリンク３００Ｂ−２の中の各無線アクセスユニットＲＡＵ−ｉの電気／光変換器３０３Ｂの発光波長は１．３μｍ帯であり、また、第３サブリンク３００Ｂ−３の中の各無線アクセスユニットＲＡＵ−ｉの電気／光変換器３０３Ｂの発光波長は１．５５μｍ帯である。
【００４２】
各サブリンク３００Ｂ−１〜３００Ｂ−３からの光信号は、主リンク２００Ｂの中の第１光合分波器２０１Ｂ−１および第２光合分波器２０１Ｂ−２により主リンク用光ファイバ線路２０２Ｂに合波される。この合波された光信号はベースユニット１００Ｂの光合分波器１０３Ｂに伝送される。
この光合分波器１０３Ｂにより合成された光信号が１．３μｍ帯、１．５５μｍ帯および１．６５μｍ帯の光信号に分波されて出力される。この３つの波長帯の光信号はそれぞれ光／電気変換器１０２Ｂ−１、１０２Ｂ−２、１０２Ｂ−３により上り高周波信号に変換され、制御局側へ送信される。
【００４３】
尚、サブリンク用光ファイバ線路３０１Ｂに合成された光信号は、各無線アクセスユニットＲＡＵ−１〜ＲＡＵ−Ｎからの光信号の合成光となるため、この合成光がベースユニット１００Ｂの光／電気変換器１０２Ｂ−１〜１０２Ｂ−３において、各光信号の波長差に起因するビート性雑音が発生する。ビート性雑音が高周波信号の伝送帯域に発生しないようにするために、各無線アクセスユニットＲＡＵ−１〜ＲＡＵ−Ｎの光波長を図１２のように互いに近接しないように設定するか、または、自動波長オフセットの手法（特願平８−１５１０１４）で電気／光変換器３０３Ｂの発光波長を制御するとよい。
【００４４】
主リンク用光ファイバ線路２０２Ｂ、および第１サブリンク３００Ｂ−１、第２サブリンク３００Ｂ−３のサブリンク用光ファイバ線路３０１Ｂとして、１５５０ｎｍ分散シフトファイバが用いられ、第２サブリンク３００Ｂ−２のサブリンク用光ファイバ線路３０１Ｂとして、１３１０ｎｍゼロ分散ファイバが用いられる。その理由は図６に示した実施例における説明と同様である。
請求項６及び７の実施例
請求項６及び７の実施例の要部を図９に示す。無線アクセスユニットＲＡＵ−ｉは、下り用光カプラ３０２Ａ、上り用光カプラ３０２Ｂ、光／電気変換器３０３Ａ、電気／光変換器３０３Ｂ、共用器３０５、およびアンテナ３０４とによって構成される。
【００４５】
図１、図３、図５、図６、図８に示した実施例で述べたそれぞれのサブリンクにおいて、Ｎ（Ｎは２以上の整数）個の無線アクセスユニットＲＡＵ−ｉは、下り方向サブリンク用光ファイバ線路３０１Ａから下り用光カプラ３０２Ａを用いて光信号を分配する。分配された光信号は光／電気変換器３０３Ａにより下り高周波信号に変換され、これが共用器３０５を介してアンテナ３０４から送信される。
【００４６】
一方、移動無線機から送信された高周波信号は、アンテナ３０４で受信した後、共用器３０５を介して電気／光変換器３０３Ｂにより光信号に変換される。この光信号は上り用光カプラ３０２Ｂにより上り方向サブリンク用光ファイバ線路３０１Ｂに結合される。
【００４７】
【発明の効果】
以上の説明のように、光波長多重の手法を用いることにより、無線アクセスユニット数を従来のＭ倍に拡大することができる利点が得られる。
また、図６、図８に示した実施例によれば無線アクセスユニットの数を従来の３倍に拡大することができる。特に光信号の光波長帯１．３μｍ、１．５５μｍ、１．６５μｍに対して１５５０ｎｍ分散シフトファイバと、１３１０ｎｍゼロ分散ファイバを選択して使用することにより雑音の発生を抑えることができ、波形劣化の少ない光ファイバ伝送システムを提案することができる利点が得られる。
【図面の簡単な説明】
【図１】この発明の請求項１の一実施例を説明するためのブロック図。
【図２】Ａは図１の実施例に用いた光合分波器の構成を示す図、Ｂは光合分波器の光波長通過特性の一例を示す図。
【図３】この発明の請求項２の一実施例を説明するためのブロック図。
【図４】図３に示した実施例に用いた各無線アクセスユニットの電気／光変換器の発光波長の例を示す図。
【図５】この発明の請求項３の一実施例を説明するためのブロック図。
【図６】この発明の請求項４の一実施例を説明するためのブロック図。
【図７】Ａは図６の実施例に用いた光合分波器の構成を示す図、Ｂ及びＣは光合分波器の光波長通過特性の一例を示す図。
【図８】この発明の請求項５の一実施例を説明するためのブロック図。
【図９】この発明の請求項６及び７の一実施例を説明するためのブロック図。
【図１０】従来の技術を説明するためのブロック図。
【図１１】従来システムの下り回線に用いた光カプラの結合係数の設定例を示す図。
【図１２】従来システムの各無線ユニットのレーザダイオードの発光波長の例を示す図。
【符号の説明】
１００Ａ，１００Ｂ                ベースユニット
１０１                            分配器
１０２−１〜１０２−Ｍ            電気／光変換器
１０３                            光合分波器
２００Ａ，２００Ｂ                主リンク用光ファイバ線路
２０１−１〜２０１−（Ｍ−１）    光合分波器
２０２−１〜２０２−（Ｍ−１）    光合分波器
３００Ａ−１〜３００Ａ−Ｍ        サブリンク
３００Ｂ−１〜３００Ｂ−Ｍ        サブリンク
ＲＵ−１〜ＲＵ−Ｎ                無線アクセスユニット
３０２Ａ，３０２Ｂ                光カプラ
１０４，３０３Ａ，３０３Ｂ        光／電気変換器
３０４Ａ，３０４Ｂ                アンテナ
【図１】
0003771426.tif 000002
【図２】
0003771426.tif 000003
【図３】
0003771426.tif 000004
【図４】
0003771426.tif 000005
【図５】
0003771426.tif 000006
【図６】
0003771426.tif 000007
【図７】
0003771426.tif 000008
【図８】
0003771426.tif 000009
【図９】
0003771426.tif 000010
【図１０】
0003771426.tif 000011
【図１１】
0003771426.tif 000012
【図１２】
0003771426.tif 000013